(57)【要約】【課題】本発明は、従来の水車式駆動装置が直面するゴミ類の問題点に鑑み、流水中のゴミ類が水車の回転を阻害することなく稼働することができる水車装置を提供する。【解決手段】水路の中を水とともに流れるゴミ類を、水車の円周縁部へスクリーン７を設けたことで、真水とゴミ類に分別される、真水は水車内へ導入され、真水の直線運動エネルギーを回転運動エネルギーに変換し機械的エネルギーとして利用できる。そして、ゴミ類はスクリーンによって水車の回転とともに水車の下流方向へ放流する構造の越塵水車装置。【選択図】図２
2014077354.tif 000002
【特許請求の範囲】
【請求項１】
懸架台１、アーム２、回転軸３、円盤４、水車翼５、水車６、スクリーン７、で構成した越塵水車装置であり、水路８の流水中に含まれる真水とゴミ類は水車６に装着されたスクリーン７により真水とゴミ類に分別される、分別された真水は水車６内を通過して水車翼５へ当接すると水力による抗力と揚力が働き、水力の直線的運動エネルギーは水車６の回転運動エネルギーに変換され機械的エネルギーとして出力する。そして、ゴミ類は水車６の円周縁部に設けたスクリーン７で分別されスクリーン７に沿ってスクリーン７の外周を浮遊し、水車６の下流方向へ水と共働して放流されることを特徴とする越塵水車装置。
【請求項２】
スクリーン７は、コイルスクリーン又は、ネットスクリーンで構成する、該スクリーン７は、金属製、樹脂製、ナイロン、ビニロン、炭素繊維等の素材を用いた、コイルスクリーン、ネットスクリーン、であり、水車５の円周縁部へ装着或は覆い被せた構造であることを特徴とする請求項１記載の越塵水車装置。
【請求項３】
越塵水車装置の水車６を略水平設置の越塵水車装置として表しているが、単体又は複数個を並列或は直列の略鉛直状水車６として設置し稼働運転できることを特徴とする請求項１及び請求項２記載の越塵水車装置。
【発明の詳細な説明】
【技術分野】
【０００１】
本発明は、水路の流水中に混在するゴミ類を排除することなく、水車を稼働できる構造の越塵水車装置に関する。
【背景技術】
【０００２】
発明の名称「発電用水車および発電装置」（例えば、特許文献１参照。）は、水平軸を中心とする円周上に２枚以上の水車翼が配置された発電用水車であって、前記水平軸を固定する水車固定枠が、水平に配置された回転軸を中心として旋回するスイングアームであることを特徴とする発電用水車およびそれを用いた発電装置。
【先行技術文献】
【特許文献】
【０００３】
【特許文献１】特開２００９−１２７４２７号公報
【非特許文献】
【０００４】
【非特許文献１】「自動転倒ゲートを利用した水車式除塵装置」は、フロート式水車は、ゴミを掻き上げるレーキを備えたスクリーン、水路脇へゴミを排出するコンベアと、小流量時に流れを堰き止めて水車を回転できる流量を間欠的に流出する自動転倒ゲートから構成されている。
【発明の概要】
【発明が解決しようとする課題】
【０００５】
本発明は、従来の水車式駆動装置が直面するゴミ類の問題点に鑑み、流水中のゴミ類が水車の回転を阻害することなく稼働することができる水車装置を提供する。
【課題を解決するための手段】
【０００６】
請求項１記載、越塵水車装置は、水車６を保持する 懸架台１とアーム２であり水車６の回転軸３を保持する、該回転軸３に直交する円盤４を左右に設ける、該円盤４の円周縁部へ均等に複数の水車翼５を回転軸３と平行に設ける、そして、水車６の円周縁部へスクリーン７を設けた構成であり、水路の流水中に含まれる真水とゴミ類は水車６の円周縁部に設けたスクリーン７により真水とゴミ類に分別される、そして、真水は水車６内に導入され水車翼５の抗力と揚力により真水の持つ直線的運動エネルギーを回転運動エネルギーに変換され機械的動力として出力する。そして、ゴミ類はスクリーン６で分別され水車６のスクリーン７に沿ってスクリーン７の外周を回遊し水車６の下流方向へ水と一緒に放流される構造としたことを特徴とした越塵水車装置。
【０００７】
請求項２記載、スクリーン７は、コイルスクリーン又は、ネットスクリーンで構成する、該スクリーン７は、金属製、樹脂製、ナイロン、ビニロン、炭素繊維等の素材を用いた、コイルスクリーン、ネットスクリーン、であり、水車５の円周縁部へ装着或は覆い被せた構造であることを特徴とする請求項１記載の越塵水車装置。
【０００８】
請求項３記載、越塵水車装置を略水平設置の越塵水車装置として表しているが、略鉛直設置の越塵水車装置としても稼働運転は可能であり、特に、河川より取水する取水口には複数の略鉛直設置とすることで真水とゴミ類に分別できることを特徴とする請求項１及び請求項２記載の越塵水車装置。
【発明の効果】
【０００９】
本発明の越塵水車装置は、水車６の円周縁部へスクリーン７を設けたことで、真水は水車６内へ導入され水流の直線運動エネルギーを回転運動エネルギーに変換し機械的エネルギーとして利用できる、ゴミ類はスクリーン７によって水車６の回転とともに水車６の下流方向へ水とともに放流する構造であり、ゴミ上げ等の労力が不要であり、ゴミ類は水車６へ絡みにくく、ゴミ類により水路が遮蔽されにくく、水路に及ぼす影響を少なくできる、水路の状況で水平軸型越塵水車装置として使用には、上掛け水車方式、又は、下掛け方式の越塵水車として利用できる、また、取水口付近の使用では、垂直軸型の越塵水車装置として利用できる、さらに、発電装置を装着すれば、水力発電装置として利用できる、さらに、天然のゴミ類(木の葉、小枝、小動物の死骸等)は川より海へ運ばれると海洋生物の餌となり海が豊かになる利点がある。
【図面の簡単な説明】
【００１０】
【図１】越塵水車装置の概観正面図である。（実施例１）
【図２】越塵水車装置の概観側面図である。（実施例２）
【図３】スクリーン７の概観図である。（実施例３）
【発明を実施するための形態】
【００１１】
越塵水車装置を、水路の状況で水平軸型越塵水車装置として使用には、上掛け水車方式、又は、下掛け方式で越塵水車装置として利用できる、そして、取水口付近の使用では、垂直軸型越塵水車装置として右回転水車方式、又は、左回転方式の越塵水車装置として利用できる、スクリーン７の使用素材は、金属製、樹脂製、繊維製、のスクリーン７として使用可能な素材を用いる。
【実施例】
【００１２】
図１は、越塵水車装置の正面図であり、水車を保持する 懸架台１、アーム２であり、該懸架台１、アーム２は、回転軸３を保持する、水車６は、回転軸３と円盤４と水車翼５で構成し、該回転軸３と回転軸３に直交するよう左右の円盤４で該円盤４の円周縁部へ均等に複数の回動する水車翼５を配設する、前記の水車６の円周縁部へスクリーン７を設けた構造の越塵水車装置であり、該スクリーン７は金属製、樹脂製、ナイロン、ビニロン、炭素繊維等の素材を用いて、コイルスクリーン、ネットスクリーン、とする。
【００１３】
図２は、越塵水車装置の側面図であり、水車を保持する 懸架台１、アーム２、回転軸３、円盤４、水車翼５、水車６、スクリーン７で構成する構造の越塵水車装置であり、流水の方向と水車の回転方向を表している。
【００１４】
図３は、円筒形状のスクリーン７でありスプリングスクリーンの概観図を示す。
【産業上の利用可能性】
【００１５】
不純物を含む混合物流体（気体、液体、固体）を越塵水車装置、又は、越塵風車装置を用いて選別する選別装置として利用できる、そして、文中のバケットを水車翼として表しているが、一般的な水車や、クロスフロー型水車へスクリーンを覆い被せる装着方法もある、さらに、発電装置を装着すれば、水力発電装置として利用できる。
【符号の説明】
【００１６】
１  懸架台
２  アーム
３  回転軸
４  円盤
５  水車翼
６  水車
７  スクリーン
８  水路
【図１】
2014077354.tif 000003
【図２】
2014077354.tif 000004
【図３】
2014077354.tif 000005